(57)【特許請求の範囲】
【請求項１】
軸筒と別部材に構成され、最大部外径が６ｍｍ〜１６ｍｍである筆記具の先口において、側壁に空気の流通を確保する空気流通路が設けられ、
前記空気流通路は、一方の開口端部を該先口の外側周面に有するとともに、他方の開口端部を軸筒の接続箇所に有し、
前記空気流通路の開口面積は、前記他方の開口端部から前記一方の開口端部にかけて、徐々に当該先口の遠心方向へ拡大していることを特徴とする筆記具の先口。
【請求項２】
前記空気流通路は、略逆円錐状の側壁が部分的に切欠かれることで設けられた段付部に、前記一方の開口端部を有することを特徴とする請求項１記載の筆記具の先口。
【請求項３】
請求項１又は２記載の筆記具の先口を軸筒に接続してなるシャープペンシルにおいて、
前記他方の開口端部を前記軸筒の前端面により塞ぐようにしたことを特徴とするシャープペンシル。
【発明の詳細な説明】
【０００１】
【発明の属する技術分野】
本発明は、シャープペンシルやボールペン等における先口、特に、軸筒と別部材に構成されている先口及び該先口が接続されたシャープペンシルに関するものである。
【０００２】
【従来の技術】
従来、筆記具を構成する部材の中では、幼児が万が一誤飲して喉に詰まらせた際、窒息しないような安全対策を施したものにキャップがある。
該キャップについては、幼児が容易に手にすることができるものであるから、誤飲し喉に詰まらせて窒息することがないようＪＩＳ規格Ｓ６０６０（１４歳までの子供用の筆記・マーキング用具のキャップ−安全要件）により、安全基準が規定されており、様々な態様の空気流通路を設けたキャップが提案されている。
しかし、筆記具の先口については、上記のような安全基準の規定がないばかりでなく、安全対策のための空気流通路を設けたものがない。このことは、筆記具の先口が軸筒に螺合されているためキャップほどは容易には外せないこと、及び先口にはその機能上、小さいながら芯やペン先を挿通させる貫通孔が設けられていること等によるものと考えられる。
【０００３】
しかしながら、筆記具の従来の先口においては、その外径と幼児の気管内径との関係によって喉に詰まらせることが懸念され、特に、シャープペンシルの先口の場合には、幼児が軸筒から外すことも可能である上、芯を挿通させる貫通孔は、内径が小さくて万が一喉に詰まらせた際に十分な空気を流通させるものでなかった。しかも、前記貫通孔により若干の空気流量を確保できるとしても、先口が外された際に芯が折れて前記貫通孔を詰まらせてしまう場合もある。そこで、筆記具の先口においても、緊急時の呼吸用空気通路を確保できるようにする必要がある。
【０００４】
【発明が解決しようとする課題】
本発明は上記従来事情に鑑みてなされたものであり、その目的とする処は、万が一幼児が誤飲して喉に詰まらせた場合でも、応急処置する迄の時間を確保でき、緊急時の安全性に優れた筆記具の先口及び該先口が接続されたシャープペンシルを提供することにある。
【０００５】
【課題を解決するための手段】
上記課題を解決するための本発明の技術的手段は、軸筒と別部材に構成され、最大部外径が６ｍｍ〜１６ｍｍである筆記具の先口において、側壁に空気の流通を確保する空気流通路が設けられたことを特徴とする。
ここで、上記空気流通路とは、空気の流通を確保するため、先口の内外側を通じるように開口した通気孔、或いは先口の外側周面に形成した通気条溝等を意味する。
上記技術手段によれば、万が一幼児が誤飲して喉に詰まらせた場合でも、空気流通路が呼吸のための空気を流通させることになる。
【０００６】
更に、上記構成において、上記空気流通路を、８リットル／分以上の空気流量を確保できるように形成すれば、誤飲して喉に詰らせても窒息しない十分な流量の空気を流通できる。
また、上記構成において、上記空気流通路は、一方の開口端部を該先口の外側周面に有するとともに、他方の開口端部を、軸筒の接続箇所に有するようにすれば、該先口が軸筒に装着された状態では空気流通路を塞いで先口内への異物の侵入を防止できる。
ここで、軸筒の接続箇所とは、軸筒へ接続した際に塞がれる箇所を意味し、例えば、先口が軸筒に装着された際に、軸筒の前端面が当接する箇所や、グリップの前端面が当接する箇所等を含む。
更に、上記構成の先口が熱可塑性樹脂で形成されれば、空気流通路を樹脂成形により容易に形成することができる。
【０００７】
【発明の実施の形態】
以下、本発明の実施の形態を図面に基づいて説明する。
図１及び図２は本発明に係わる筆記具の先口の一例を示し、図３は同先口が適用された筆記具の一例を示す。
【０００８】
この先口１０は、熱可塑性樹脂からなる略逆円錐状の成形部品であり、上端の最大部外径Ｄが６ｍｍ〜１６ｍｍに形成され、傾斜した側壁には軸対称の二つの空気流通路１１，１１が形成されている。そして、後述する筆記具Ａ（シャープペンシル）に組付けられる。
また、この先口１０は、内部を中空状に形成し、その内側周面に筆記具Ａの軸筒２１前端部が螺合される雌螺子部１４を形成し、且つ前端側に弾性部材からなる芯保持体１３を装着し、最前端部に芯ガイド管１２を先端部が露出されるように嵌着することで、筆記具Ａ（シャープペンシル）における芯繰出し機構の一部分を構成している。
【０００９】
尚、上記最大部外径Ｄの下限値を６ｍｍとしたのは、仮に最大部外径Ｄが６ｍｍ未満の小さな先口であれば、該先口を幼児が誤飲しても喉に詰らせることがないので窒息の危険性がないばかりでなく、成形が困難で実用性に欠けるためである。
【００１０】
また、上記最大部外径Ｄの上限値を１６ｍｍとしたのは、ＪＩＳ規格Ｓ６０６０（１４歳までの子供用の筆記・マーキング用具のキャップ−安全要件）において、「キャップを、その主軸を直径１６ｍｍ（寸法公差：上限＋０．０５ｍｍ，下限−０ｍｍ）のリングゲージに垂直になるように向け、キャップがゲージに入り込むようにしたとき、キャップの長さ５ｍｍ以上が自由に通過せずに残るとき、そのキャップは、大き過ぎて吸入の危険がない」と規定されていることに鑑みれば、筆記具の先口であっても、外径１６ｍｍを超える場合には大き過ぎて吸入の危険がないと考えられるためである。
【００１１】
上記空気流通路１１は、図１（ｂ）に示すように、先口１０の側壁が切欠き形状にされることで段付部１０ｂを形成し、その段付部１０ｂに一方の開口端部１１ｂを下方向きに有する。そして、この空気流通路１１の他方の開口端部１１ａは、先口１０が軸筒２１に装着された際に、軸筒２１の前端面が当接する先口１０内の面１０ａに上向きに有する。即ち、この空気流通路１１は、先口１０の内外に空気を流通させる上下方向（軸方向）の通気孔であり、所定の空気流量を確保可能な断面積を有する。
【００１２】
上記空気流量は、８リットル／分以上に設定してあり、この値は、上記ＪＩＳ規格Ｓ６０６０（１４歳までの子供用の筆記・マーキング用具のキャップ−安全要件）により規定された空気流量に基づくものであり、同規格の附属書の空気流量試験においてキャップを先口１０に置き換えたに過ぎず、最大圧力差１．３３ｋＰａ，そして室温（約２３℃）の条件下で測定した場合における軸方向への空気流量の値である。
即ち、上記ＪＩＳ規格の安全要件によれば、幼児がキャップを喉に詰らせた場合、８リットル／分以上の空気流量を確保できれば、窒息の危険がないと考えられており、上記キャップを先口１０にした場合においても、同程度の空気流量を確保できれば窒息の危険性を回避できるものと考えられる。
【００１３】
上記空気流量を確保可能な通気面積について、キャップの場合には上記ＪＩＳ規格Ｓ６０６０によって「６．８ｍｍ2 以上」と規定されているので、本発明実施の形態の先口１０についても、二つの空気流通路１１，１１の合計通気面積を６．８ｍｍ2 以上にすることで、上記空気流量を確保できることになる。しかしながら、実際のところ、空気流量は、空気流通路の形状や個数による流通抵抗の違いにより変わり、例えば空気流通路の数が多い場合には流通抵抗が大きくなって空気流量が少なくなる。従って、本発明実施の形態では、実験により上記空気流量が８リットル／分以上になることを確認している。
【００１４】
そして、上記先口１０は、図３（ａ）に示すように、軸筒２１の前端部に螺合され、この際、空気流通路１１の開口端部１１ａが軸筒２１の前端面により塞がれるように組付けられて筆記具Ａを構成する。
この筆記具Ａは、軸筒２１の図示しない後端ノック部がノック操作されることにより、チャック３１が芯タンク３４内の芯４０を所定長さづつ繰出す周知の芯繰出し機構を備えたシャープペンシルである。尚、図中符号３３は芯タンク３４を後方に付勢するスプリング、符号３２はチャック３１の外周で軸方向に摺動するクラッチ、符号２２は軸筒２１外周に装着され滑り止めとなるグリップである。
【００１５】
而して、上記した構成の先口１０によれば、図３（ａ）に示すように軸筒２１の前端部に組付けられた状態では、空気流通路１１の開口端部１１ａが軸筒２１の前端面に塞がれるため、塵や埃等の異物が、先口内に侵入して芯の繰出し動作を阻害したりすることがない。
そして、幼児のいたずら等により、図３（ｂ）に示すように該先口１０が軸筒２１の前端部から外された際には、軸筒２１の前端面により塞がれていた開口端部１１ａが開口するため、幼児が誤飲して喉に詰らせたとしても、空気流通路１１が呼吸用の空気を流通させて幼児の窒息を防止する。
【００１６】
尚、図示例における空気流通路１１は、先口１０の側壁に二箇所設けたが、上記所定の空気流量を確保できれば、その個数及び形状が限定されるものでない。
【００１７】
【発明の効果】
本発明によれば、万が一幼児が誤飲して喉に詰まらせた場合でも、空気流通路が呼吸用の空気を流通させるため、応急処置する迄の時間を確保することで幼児の窒息を防止でき、緊急時の安全性に優れた筆記具の先口を提供できる。
更に、上記空気流通路を、８リットル／分以上の空気流量を確保できるように形成すれば、誤飲して喉に詰らせても窒息しない十分な空気流量を流通させることができる。
また、上記空気流通路は、一方の開口端部を該先口の外側周面に有するとともに、他方の開口端部を、軸筒の接続箇所に有するようにすることで、該先口が軸筒に装着された状態においては、該先口内にゴミ、塵等の異物が侵入するのを防止できる。例えばシャープペンシルの場合、異物が先口内へ侵入することで、芯の繰出し動作を阻害したりすることがない。
更に、該先口を熱可塑性樹脂で形成することにより、空気流通路の成形を容易にでき、生産性にも優れた筆記具の先口を提供することができる。
【図面の簡単な説明】
【図１】  本発明に係る筆記具の先口の一例を示し、（ａ）は正面図、（ｂ）は要部を切欠して示す側面図。
【図２】  （ａ）は同先口の上面図、（ｂ）は同先口の下面図。
【図３】  同先口が適用された筆記具の一例を示し、（ａ）は縦断面図、（ｂ）は先口が軸筒から取外された状態の縦断面図。
【符号の説明】
１０：先口                    １１：空気流通路
１１ａ：開口端部              １１ｂ：開口端部
Ａ：筆記具                    Ｄ：最大部外径
【図１】
0004302845.tif 000002
【図２】
0004302845.tif 000003
【図３】
0004302845.tif 000004